(57)【要約】【課題】パチンコ遊技機の遊技盤に配設された釘の配設情報を自動的に取得するのに好適な遊技機管理システム、管理用端末、パチンコ遊技機、管理用端末制御プログラム及びパチンコ遊技機制御プログラムを提供する。【解決手段】遊技機管理システム１を、パチンコ遊技機２と、ホールコンピュータ３と、ネットワーク４と、を含んだ構成とし、パチンコ遊技機２を、遊技盤２０と、前面扉２００と、撮影対象部２０ｅと、デジタルカメラ２２と、カメラ制御部２３と、データ伝送部２４と、開閉信号発生部２５と、を含んだ構成とし、ホールコンピュータ３を、画像解析部３ａと、釘幅画像データベース３ｂと、釘幅情報検出部３ｃと、釘幅情報保存部３ｄと、を含んだ構成とし、デジタルカメラ２２で撮影した撮影対象釘２１の撮影画像を画像解析部３ａによって解析し、釘幅情報検出部３ｃによって釘幅情報を検出して釘幅情報保存部３ｄに保存するようにした。【選択図】      図１
2004167168.tif 000002
【特許請求の範囲】
【請求項１】
パチンコ遊技機の遊技盤に設けられた釘の少なくとも一部を撮影可能な撮影手段と、当該撮影手段によって撮影された前記釘の画像に基づき遊技盤面に対する前記釘の角度を示す配設状態を検出する配設状態検出手段と、当該検出された配設状態に関連するデータを記憶する配設状態データ記憶手段と、を備えることを特徴とする遊技機管理システム。
【請求項２】
パチンコ遊技機と、当該パチンコ遊技機に係る情報を管理する管理用端末と、前記パチンコ遊技機の遊技盤に設けられた釘の少なくとも一部を撮影可能な撮影手段と、当該撮影手段によって撮影された前記釘の画像情報を前記管理用端末に伝送する画像情報伝送手段と、を備え、
前記管理用端末は、前記画像情報伝送手段によって伝送された前記釘の撮影画像に基づき遊技盤面に対する前記釘の角度を示す配設状態を検出する配設状態検出手段と、当該検出された配設状態に関連するデータを記憶する配設状態データ記憶手段と、を備えることを特徴とする遊技機管理システム。
【請求項３】
前記管理用端末は、前記画像情報伝送手段によって伝送された前記釘の撮影画像を、複数の均一なサイズの画像に分割した分割撮影画像を生成し、且つ、当該分割撮影画像を絶対座標に対応付ける画像分割手段を備え、前記配設状態検出手段は、前記分割撮影画像に基づき前記配設状態を検出することを特徴とする請求項２記載の遊技機管理システム。
【請求項４】
前記管理用端末は、前記配設状態が予め解っている釘の基本画像を複数備え、前記配設状態検出手段は、前記パチンコ遊技機からの撮影画像と前記複数の基本画像とに基づき前記撮影画像に最も近い画像内容の前記基本画像の前記配設状態を、当該撮影画像の釘の配設状態として検出することを特徴とする請求項２記載の遊技機管理システム。
【請求項５】
前記パチンコ遊技機が、前記撮影手段と、前記画像情報伝送手段と、を備え、
前記撮影手段を、前記遊技盤の盤面側から当該盤面上にある釘の少なくとも一部を撮影可能な位置に配設したことを特徴とする請求項２乃至請求項４のいずれか１項に記載の遊技機管理システム。
【請求項６】
前記撮影手段は、前記パチンコ遊技機の前面側に備えられた扉の開閉状態に応じて発生する信号に基づき前記遊技盤に設けられた釘の撮影を行うことを特徴とする請求項２乃至請求項５のいずれか１項に記載の遊技機管理システム。
【請求項７】
請求項２記載の遊技機管理システムにおける前記管理用端末であって、
前記画像情報伝送手段によって伝送された前記釘の撮影画像に基づき遊技盤面に対する前記釘の角度を示す配設状態を検出する配設状態検出手段と、当該検出された配設状態に関連するデータを記憶する配設状態データ記憶手段と、を備えることを特徴とする管理用端末。
【請求項８】
前記画像情報伝送手段によって伝送された前記釘の撮影画像を、複数の均一なサイズの画像に分割した分割撮影画像を生成し、且つ、当該分割撮影画像を絶対座標に対応付ける画像分割手段を備え、前記配設状態検出手段は、前記分割撮影画像に基づき前記配設状態を検出することを特徴とする請求項７記載の管理用端末。
【請求項９】
前記配設状態が予め解っている釘の基本画像を複数備え、前記配設状態検出手段は、前記パチンコ遊技機からの撮影画像と前記複数の基本画像とに基づき前記撮影画像に最も近い画像内容の前記基本画像の前記配設状態を、当該撮影画像の釘の配設状態として検出することを特徴とする請求項７記載の管理用端末。
【請求項１０】
請求項５記載の遊技機管理システムにおける前記パチンコ遊技機であって、
前記パチンコ遊技機の遊技盤に配設された釘の少なくとも一部を撮影可能な前記撮影手段と、当該撮影手段によって撮影された前記釘の画像情報を前記管理用端末に伝送する前記画像情報伝送手段と、を備え、
前記撮影手段を、前記遊技盤の盤面側から当該盤面上にある釘の少なくとも一部を撮影可能な位置に配設したことを特徴とするパチンコ遊技機。
【請求項１１】
前記撮影手段は、前記パチンコ遊技機の前面側に備えられた扉の開閉状態に応じて発生する信号に基づき前記遊技盤に配設された釘の撮影を行うことを特徴とする請求項１０記載のパチンコ遊技機。
【請求項１２】
請求項７記載の管理用端末を制御するためのプログラムであって、
前記画像情報伝送手段によって伝送された前記釘の撮影画像に基づき遊技盤面に対する前記釘の角度を示す配設状態を検出する配設状態検出ステップと、当該検出された配設状態に関連するデータを記憶する配設状態データ記憶ステップと、を備えることを特徴とする管理用端末制御プログラム。
【請求項１３】
前記画像情報伝送手段によって伝送された前記釘の撮影画像を、複数の均一なサイズの画像に分割した分割撮影画像を生成し、且つ、当該分割撮影画像を絶対座標に対応付ける画像分割ステップを備え、前記配設状態検出ステップにおいては、前記分割撮影画像に基づき前記配設状態を検出することを特徴とする請求項１２記載の管理用端末制御プログラム。
【請求項１４】
前記配設状態が予め解っている釘の基本画像を複数備え、前記配設状態検出ステップにおいては、前記パチンコ遊技機からの撮影画像と前記複数の基本画像とに基づき前記撮影画像に最も近い画像内容の前記基本画像の前記配設状態を、当該撮影画像の釘の配設状態として検出することを特徴とする請求項１２記載の管理用端末制御プログラム。
【請求項１５】
請求項１０記載のパチンコ遊技機を制御するためのプログラムであって、
当該パチンコ遊技機の備える撮影装置に、前記遊技盤に配設された釘の少なくとも一部を撮影させる撮影ステップと、当該撮影ステップによって撮影された釘の画像情報を前記管理用端末に伝送する画像情報伝送ステップと、を備えることを特徴とするパチンコ遊技機制御プログラム。
【請求項１６】
前記撮影ステップにおいては、前記撮影装置に、前記パチンコ遊技機の前面側に備えられた扉の開閉状態に応じて発生する信号に基づき前記遊技盤に配設された釘の撮影を行わせることを特徴とする請求項１５記載のパチンコ遊技機制御プログラム。
【発明の詳細な説明】
【０００１】
【発明の属する技術分野】
本発明は、遊技機の管理システムに係り、特に、パチンコ遊技機の遊技盤面に設けられた釘の配設情報を管理するのに好適な遊技機管理システムに関する。
【０００２】
【従来の技術】
従来は、パチンコ遊技機の遊技盤に配設された釘に対して、釘と釘との間隔や釘と遊技盤面との角度等の釘の配設状態を点検し、これらを必要に応じて調整した後に、その調整後のこれら釘の配設状態のデータをホールコンピュータなどの遊技機の管理用端末によって管理していた（特許文献１参照）。
【０００３】
【特許文献１】
特開２００２−１３６７４６号公報
【０００４】
【発明が解決しようとする課題】
しかしながら、上記特許文献１の発明では、点検後の釘幅等の釘の配設状態データをホールコンピュータに手入力しなければならず、この作業を遊技店内に多数設置されたパチンコ遊技機について行うのは煩わしい作業である上に、人手によるデータ入力ミスが発生する恐れなどがあった。
【０００５】
そこで、本発明は、このような従来の技術の有する未解決の課題に着目してなされたものであって、パチンコ遊技機の遊技盤に配設された釘の配設情報を自動的に取得するのに好適な遊技機管理システム、管理用端末、パチンコ遊技機、管理用端末制御プログラム及びパチンコ遊技機制御プログラムを提供することを目的としている。
【０００６】
【課題を解決するための手段】
上記目的を達成するために、本発明に係る請求項１記載の遊技機管理システムは、パチンコ遊技機の遊技盤に設けられた釘の少なくとも一部を撮影可能な撮影手段と、当該撮影手段によって撮影された前記釘の画像に基づき遊技盤面に対する前記釘の角度を示す配設状態を検出する配設状態検出手段と、当該検出された配設状態に関連するデータを記憶する配設状態データ記憶手段と、を備えることを特徴としている。
【０００７】
このような構成であれば、撮影手段によって、パチンコ遊技機の遊技盤に設けられた釘の少なくとも一部を撮影することが可能であり、配設状態検出手段によって、撮影手段によって撮影された前記釘の画像に基づき遊技盤面に対する前記釘の角度を示す配設状態を検出することが可能であり、配設状態データ記憶手段によって、検出された配設状態に関連するデータを記憶することが可能である。
【０００８】
従って、釘の点検後などに、撮影画像から遊技盤面に対する釘の角度などの遊技盤に配設された釘の配設状態を検出し、この配設状態から２本の釘の幅などのデータを、取得又は生成し、人手をかけずに、これらのデータを記憶管理することが可能となる。
本発明に係る請求項２記載の遊技機管理システムは、パチンコ遊技機と、当該パチンコ遊技機に係る情報を管理する管理用端末と、前記パチンコ遊技機の遊技盤に設けられた釘の少なくとも一部を撮影可能な撮影手段と、当該撮影手段によって撮影された前記釘の画像情報を前記管理用端末に伝送する画像情報伝送手段と、を備え、
前記管理用端末は、前記画像情報伝送手段によって伝送された前記釘の撮影画像に基づき遊技盤面に対する前記釘の角度を示す配設状態を検出する配設状態検出手段と、当該検出された配設状態に関連するデータを記憶する配設状態データ記憶手段と、を備えることを特徴としている。
【０００９】
このような構成であれば、撮影手段によって、遊技機の遊技盤に設けられた釘の少なくとも一部を撮影することが可能であり、画像情報伝送手段によって、撮影手段によって撮影された釘の画像情報を前記管理用端末に伝送することが可能である。更に、前記管理用端末は、配設状態検出手段によって、画像情報伝送手段によって伝送された前記釘の撮影画像に基づき遊技盤面に対する前記釘の角度を示す配設状態を検出することが可能であり、配設状態データ記憶手段によって、当該検出された配設状態に関連するデータを記憶することが可能である。
【００１０】
従って、釘の点検後などに、遊技盤面に対する釘の角度を示す配設状態を検出し、この配設状態から２本の釘の幅などのデータを、取得又は生成し、人手をかけずに、これらのデータを、管理用端末で記憶管理することが可能となる。
ここで、上記撮影手段としては、ビデオカメラ、デジタルカメラ、デジタルビデオカメラなどが考えられる。
【００１１】
また、請求項３に係る発明は、請求項２記載の遊技機管理システムにおいて、前記管理用端末は、前記画像情報伝送手段によって伝送された前記釘の撮影画像を、複数の均一なサイズの画像に分割した分割撮影画像を生成し、且つ、当該分割撮影画像を絶対座標に対応付ける画像分割手段を備え、前記配設状態検出手段は、前記分割撮影画像に基づき前記配設状態を検出することを特徴としている。
【００１２】
つまり、管理用端末は、画像分割手段によって、釘の撮影画像を複数の均一なサイズの画像に分割した分割撮影画像を生成し、且つ、当該分割撮影画像を絶対座標に対応付けることが可能であり、配設状態検出手段は、前記分割撮影画像に基づき前記配設状態を検出することが可能である。
従って、分割画像の個々のサイズが明確であれば、座標から２本の釘と釘との間隔などを簡易に求めることが可能となる。
【００１３】
また、請求項４に係る発明は、請求項２記載の遊技機管理システムにおいて、前記管理用端末は、前記配設状態が予め解っている釘の基本画像を複数備え、前記配設状態検出手段は、前記パチンコ遊技機からの撮影画像と前記複数の基本画像とに基づき前記撮影画像に最も近い画像内容の前記基本画像の前記配設状態を、当該撮影画像の釘の配設状態として検出することを特徴としている。
【００１４】
つまり、管理用端末は、釘の配設状態が予め解っている釘の基本画像を複数備えており、配設状態検出手段は、前記パチンコ遊技機からの撮影画像情報と前記複数の基本撮影画像とに基づき前記撮影画像に最も近い画像内容の前記基本画像の前記配設状態を、当該撮影画像の釘の配設状態として検出することが可能である。
【００１５】
従って、撮影手段によって撮影した釘の画像と基本画像との画像内容に基づきその画像内容の最も近い基本画像を検出することが可能なので、簡易に配設状態の検出をすることが可能となる。ここで、配設状態だけでなく、配設状態に関連するデータを予め生成しておき、基本画像が選択されることで、様々な情報が取得できるようにしても良い。
【００１６】
また、請求項５に係る発明は、請求項２乃至請求項４のいずれか１項に記載の遊技機管理システムにおいて、前記パチンコ遊技機が、前記撮影手段と、前記画像情報伝送手段と、を備え、
前記撮影手段を、前記遊技盤の盤面側から当該盤面上にある釘の少なくとも一部を撮影可能な位置に配設したことを特徴としている。
【００１７】
つまり、例えば、パチンコ遊技機の遊技盤に設けられた釘を、当該釘の根元から頭頂部に向けて撮影可能な位置に撮影手段を配設することで、配設状態を簡易に得ることが可能な画像の撮影が可能となる。
また、請求項６に係る発明は、請求項２乃至請求項５のいずれか１項に記載の遊技機管理システムにおいて、前記撮影手段は、前記パチンコ遊技機の前面側に備えられた扉の開閉状態に応じて発生する信号に基づき前記遊技盤に設けられた釘の撮影を行うことを特徴としている。
【００１８】
つまり、パチンコ遊技機の前面扉を開けたとき、あるいは、前面扉を閉めたときに発生する信号に基づいて釘の撮影を行うようにしたので、例えば、前面扉を開けて釘幅の調整などの釘点検を行った後で、前面扉を閉めたときに釘を撮影するといったことが可能となる。
また、本発明に係る請求項７記載の管理用端末は、請求項２記載の遊技機管理システムにおける前記管理用端末であって、
前記画像情報伝送手段によって伝送された前記釘の撮影画像に基づき遊技盤面に対する前記釘の角度を示す配設状態を検出する配設状態検出手段と、当該検出された配設状態に関連するデータを記憶する配設状態データ記憶手段と、を備えることを特徴としている。
【００１９】
ここで、本発明は、請求項２記載の遊技機管理システムにおける管理用端末であり、その作用効果は重複するので記載を省略する。
また、請求項８に係る発明は、請求項７記載の管理用端末において、前記画像情報伝送手段によって伝送された前記釘の撮影画像を、複数の均一なサイズの画像に分割した分割撮影画像を生成し、且つ、当該分割撮影画像を絶対座標に対応付ける画像分割手段を備え、前記配設状態検出手段は、前記分割撮影画像に基づき前記配設状態を検出することを特徴としている。
【００２０】
ここで、本発明は、請求項３記載の遊技機管理システムにおける管理用端末であり、その作用効果は重複するので記載を省略する。
また、請求項９に係る発明は、請求項７記載の管理用端末において、前記配設状態が予め解っている釘の基本画像を複数備え、前記配設状態検出手段は、前記パチンコ遊技機からの撮影画像と前記複数の基本画像とに基づき前記撮影画像に最も近い画像内容の前記基本画像の前記配設状態を、当該撮影画像の釘の配設状態として検出することを特徴としている。
【００２１】
ここで、本発明は、請求項４記載の遊技機管理システムにおける管理用端末であり、その作用効果は重複するので記載を省略する。
また、本発明に係る請求項１０記載のパチンコ遊技機は、請求項５記載の遊技機管理システムにおける前記パチンコ遊技機であって、
前記パチンコ遊技機の遊技盤に配設された釘の少なくとも一部を撮影可能な前記撮影手段と、当該撮影手段によって撮影された前記釘の画像情報を前記管理用端末に伝送する前記画像情報伝送手段と、を備え、
前記撮影手段を、前記遊技盤の盤面側から当該盤面上にある釘の少なくとも一部を撮影可能な位置に配設したことを特徴としている。
【００２２】
ここで、本発明は、請求項５記載の遊技機管理システムにおけるパチンコ遊技機であり、その作用効果は重複するので記載を省略する。
また、請求項１１に係る発明は、請求項１０記載のパチンコ遊技機において、前記撮影手段は、前記パチンコ遊技機の前面側に備えられた扉の開閉状態に応じて発生する信号に基づき前記遊技盤に配設された釘の撮影を行うことを特徴としている。
【００２３】
ここで、本発明は、請求項６記載の遊技機管理システムにおけるパチンコ遊技機であり、その作用効果は重複するので記載を省略する。
また、本発明に係る請求項１２記載の管理用端末制御プログラムは、請求項７記載の管理用端末を制御するためのプログラムであって、
前記画像情報伝送手段によって伝送された前記釘の撮影画像に基づき遊技盤面に対する前記釘の角度を示す配設状態を検出する配設状態検出ステップと、当該検出された配設状態に関連するデータを記憶する配設状態データ記憶ステップと、を備えることを特徴としている。
【００２４】
ここで、本発明は、請求項７記載の管理用端末を制御するためのプログラムであり、その効果は重複するので記載を省略する。
また、請求項１３に係る発明は、請求項１２記載の管理用端末制御プログラムにおいて、前記画像情報伝送手段によって伝送された前記釘の撮影画像を、複数の均一なサイズの画像に分割した分割撮影画像を生成し、且つ、当該分割撮影画像を絶対座標に対応付ける画像分割ステップを備え、前記配設状態検出ステップにおいては、前記分割撮影画像に基づき前記配設状態を検出することを特徴としている。
【００２５】
ここで、本発明は、請求項８記載の管理用端末を制御するためのプログラムであり、その効果は重複するので記載を省略する。
また、請求項１４に係る発明は、請求項１２記載の管理用端末制御プログラムにおいて、前記配設状態が予め解っている釘の基本画像を複数備え、前記配設状態検出ステップにおいては、前記パチンコ遊技機からの撮影画像と前記複数の基本画像とに基づき前記撮影画像に最も近い画像内容の前記基本画像の前記配設状態を、当該撮影画像の釘の配設状態として検出することを特徴としている。
【００２６】
ここで、本発明は、請求項９記載の管理用端末を制御するためのプログラムであり、その効果は重複するので記載を省略する。
また、本発明に係る請求項１５記載のパチンコ遊技機制御プログラムは、請求項１０記載のパチンコ遊技機を制御するためのプログラムであって、
当該パチンコ遊技機の備える撮影装置に、前記遊技盤に配設された釘の少なくとも一部を撮影させる撮影ステップと、当該撮影ステップによって撮影された釘の画像情報を前記管理用端末に伝送する画像情報伝送ステップと、を備えることを特徴としている。
【００２７】
ここで、本発明は、請求項１０記載のパチンコ遊技機を制御するためのプログラムであり、その効果は重複するので記載を省略する。
また、請求項１６に係る発明は、請求項１５記載のパチンコ遊技機制御プログラムにおいて、前記撮影ステップにおいては、前記撮影装置に、前記パチンコ遊技機の前面側に備えられた扉の開閉状態に応じて発生する信号に基づき前記遊技盤に配設された釘の撮影を行わせることを特徴としている。
ここで、本発明は、請求項１１記載のパチンコ遊技機を制御するためのプログラムであり、その効果は重複するので記載を省略する。
【００２８】
【発明の実施の形態】
以下、本発明の実施の形態を図面に基づき説明する。図１乃至図１０は、本発明に係る遊技機管理システムの実施の形態を示す図である。
まず、本発明に係る遊技機管理システムの構成を図１乃至図３に基づき説明する。図１は、本発明に係る遊技機管理システムの概略構成を示す図であり、図２は、遊技機管理システムにおけるパチンコ遊技機の遊技盤を示す図であり、図３は、遊技機管理システムの第１の構成例を示すブロック図である。
【００２９】
図１に示すように、遊技機管理システム１は、パチンコ遊技機２と、パチンコ遊技機２の様々な情報を管理するホールコンピュータ３と、パチンコ遊技機２とホールコンピュータ３とをデータ通信可能に接続するためのネットワーク４と、を含んだ構成となっている。
パチンコ遊技機２は、遊技盤２０と、前面扉２００と、を含んだ構成となっている。
【００３０】
遊技盤２０には、図１に示す位置にある第１の対象釘２１ａと、第２の対象釘２１ｂとから構成される撮影対象釘２１が配設されている。更に、前記第１の対象釘２１ａと、第２の対象釘２１ｂとの間には、デジタルカメラ２２（正確にはカメラのレンズ部分）が配設されている。
前面扉２００は、遊技盤２０を保護する開閉式の扉で、ガラス部分を含み、扉を閉めても正面から遊技盤２０が見えるようになっている。
【００３１】
ここで、図１の遊技機管理システム１においては、パチンコ遊技機が、パチンコ遊技機２の１台だけしか図示されていないが、実際は、遊技店などに配設された複数のパチンコ遊技機がネットワーク４に接続され、これらの情報がホールコンピュータ３によって一括に管理されていることが多い。
更に、図２に基づき、遊技盤２０のより詳細な構成を説明する。図２（ａ）は、遊技盤２０の詳細構成図であり、（ｂ）は撮影対象部２０ｅを上から見た拡大図である。
【００３２】
図２（ａ）に示すように、遊技盤２０は、特別図柄表示装置２０ａと、始動入賞口２０ｂと、大入賞口２０ｃと、釘２０ｄと、撮影対象部２０ｅと、を含んだ構成となっている。
ここで、特別図柄表示装置２０ａと始動入賞口２０ｂと大入賞口２０ｃと釘２０ｄとは周知のパチンコ遊技機と同様のものであるので説明を省略する。
【００３３】
撮影対象部２０ｅは、図２（ｂ）に示すように撮影対象釘２１とデジタルカメラ２２とから構成されたものである。
デジタルカメラ２２は、撮影対象釘２１の根元近傍の遊技盤面側に配設されたもので、この位置から撮影対象釘２１を撮影する。本実施の形態は、この撮影対象釘２１を構成する第１の対象釘２１ａと第２の対象釘２１ｂとの間隔（釘幅）のデータを人手によらず自動的に取得することを目的としている。
【００３４】
更に、図３に基づき、遊技機管理システム１の第１の構成例１Ａの構成を説明する。
図３に示すように、遊技機管理システムの第１の構成例１Ａは、パチンコ遊技機２と、ホールコンピュータ３と、ネットワーク４と、を含んだ構成となっている。
【００３５】
パチンコ遊技機２は、内部構成として、デジタルカメラ２２と、カメラ制御部２３と、データ伝送部２４と、開閉信号発生部２５と、を含んだ構成となっている。
デジタルカメラ２２は、上記したように、遊技盤面２０の撮影対象部２０ｅに示す位置に配設されたもので、撮影対象釘２１を遊技盤面側から釘の頭頂部側に向けて撮影するようになっている。
【００３６】
カメラ制御部２３は、前面扉２００の開閉に応じて、開閉信号発生部２５からの信号に基づき、デジタルカメラ２２の動作を制御するものである。
データ伝送部２４は、デジタルカメラ２２で撮影した撮影対象釘２１の画像をネットワーク４を介してホールコンピュータ３に伝送する処理を行うものである。
【００３７】
開閉信号発生部２５は、上記したパチンコ遊技機２の前面扉２００の開閉状態に応じた信号を発生する。本実施の形態においては、前面扉２００が開いていればデジタルのＨｉｇｈ信号を発生し、前面扉２００が閉じていればデジタルのＬｏｗ信号を発生する。
ホールコンピュータ３は、画像解析部３ａと、釘幅画像データベース３ｂと、釘幅情報検出部３ｃと、釘幅情報保存部３ｄと、を含んだ構成となっている。
【００３８】
画像解析部３ａは、パチンコ遊技機２から伝送されてきた撮影対象釘２１の撮影画像を、釘幅画像データベースに用意された基本画像に基づき解析するものである。
釘幅画像データベース３ｂは、撮影対象釘２１の様々な配設状態における画像が記憶されたもので、各状態の画像と第１の対象釘２１ａと第２の対象釘２１ｂとの間隔（釘幅）のデータとが予め対応付けられたものが複数記憶されたものである。
【００３９】
釘幅情報検出部３ｃは、画像解析部３ａの解析結果に基づき、パチンコ遊技機２から伝送された撮影対象釘２１の釘幅を検出するものである。
釘幅情報保存部３ｄは、釘幅情報検出部３ｃにおいて検出された釘幅情報を記憶し保存するものである。
更に、図４に基づき、遊技機管理システムの第１の構成例１Ａのより具体的な動作を説明する。図４（ａ）は、撮影対象釘２１の撮影画像と基本画像との比較の一例を示す図であり、（ｂ）は、基本画像と釘幅データとの対応を示す図である。
【００４０】
まず、パチンコ遊技機２側では、人手により釘の点検を行うために、前面扉２００が開かれる。扉が開かれると開閉信号発生部２５では、デジタルのＨｉｇｈ信号が発生し、カメラ制御部２３に伝送される。カメラ制御部２３では、この信号を受けて前面扉２００が開かれた状態であることを認識する。
更に、釘の点検が終了すると、人手により前面扉２００が閉じられる。このとき、開閉信号発生部２５では、デジタルのＬｏｗ信号が発生し、カメラ制御部２３に伝送される。カメラ制御部２３は、Ｈｉｇｈ信号に続けてＬｏｗ信号を受信することで、デジタルカメラ２２に対して、撮影対象釘２１を撮影するように制御命令を与える。デジタルカメラ２２は、この制御命令を受信すると、撮影機能により撮影対象釘２１を撮影する。撮影が終了すると、この撮影画像をデータ伝送部２４によってネットワーク４を介しホールコンピュータ３に伝送する。
【００４１】
一方、ホールコンピュータ３では、パチンコ遊技機２から伝送された撮影画像を取得すると、まず画像解析部３ａへと伝送する。画像解析部３ａでは、図４（ａ）に示すように、撮影画像４０と、釘画像データベース３ｂに記憶された第１〜第３の基本画像４１〜４３と、を比較解析する処理が行われる。この処理は、撮影画像４０と第１〜第３の基本画像４１〜４３との一致度を比較するもので、解析によりこれらの一致度を求める。本実施の形態において、一致度は、単純に撮影画像の信号と基本画像の信号とをマッチングさせることで求める。つまり、撮影画像４０と基本画像とは同じサイズで且つ同じドット数で構成されるものであるので、両者の画像信号をマッチングすることで一致度が解る。
【００４２】
そして、マッチング処理が終了すると、釘幅情報検出部３ｃは、求められた各一致度をそれぞれ比較して、撮影画像と最も一致度の高い基本画像を選択する。更に、図４（ｂ）に示す基本画像と釘幅データとの対応テーブルから選択した基本画像に対応した釘幅データを検出する。最後に、検出された釘幅データは釘幅情報保存部３ｄにおいて記憶保存される。
【００４３】
図４（ｂ）に示す例では、撮影画像４０に対して、最も一致度の高い基本画像は第２の基本画像４２となっている。従って、図４（ｂ）のテーブルを参照すると、この第２の基本画像４２に対応する釘幅データは１１［ｍｍ］であることが解る。つまり、検査後の撮影対象釘２１の第１の対象釘２１ａと第２の対象釘２１ｂとの間隔（釘幅）は１１［ｍｍ］が検出され、この釘幅データが釘幅情報保存部３ｄに保存される。
【００４４】
更に、図５に基づき、遊技機管理システムの第１の構成例１Ａにおけるパチンコ遊技機２の動作処理の流れを説明する。図５は、遊技機管理システムの第１の構成例１Ａにおけるパチンコ遊技機２の動作処理を示すフローチャートである。図５に示すように、まずステップＳ１００に移行し、カメラ制御部２３は、開閉信号発生部２５よりＨｉｇｈ信号を受信したか否かを判定し、受信したと判定された場合（Ｙｅｓ）はステップＳ１０２に移行し、そうでない場合（Ｎｏ）は受信するまで待機する。
【００４５】
ステップＳ１０２に移行した場合は、カメラ制御部２３は、パチンコ遊技機２の前面扉２００が開かれた状態であることを確認しステップＳ１０４に移行する。
ここで、本実施の形態では、検査等のために前面扉２００が開かれ、Ｈｉｇｈ信号を受信すると、フラグ管理用レジスタに１を書き込む。その後、検査が終わり、前面扉２００が閉じられ、且つ、釘の撮影処理が終了すると、フラグ管理用レジスタを０にクリアする。このフラグ管理用レジスタの値で、前面扉２００の開閉状態を管理する。
【００４６】
ステップＳ１０４では、カメラ制御部２３は、開閉信号発生部２５よりＬｏｗ信号を受信したか否かを判定し、受信したと判定された場合（Ｙｅｓ）はステップＳ１０６に移行し、そうでない場合（Ｎｏ）は受信するまで待機する。
ステップＳ１０６に移行した場合は、カメラ制御部２３は、パチンコ遊技機２の前面扉２００が閉じられた状態であることを確認しステップＳ１０８に移行する。
【００４７】
ステップＳ１０８では、カメラ制御部２３は、前面扉２００が開かれた状態から閉じらた状態になったことを確認したので、デジタルカメラ２２に対して撮影対象釘２１を撮影するように制御命令を伝送しステップＳ１１０に移行する。
ステップＳ１１０では、デジタルカメラ２２は、制御命令を受信すると、撮影対象釘２１の撮影を行いステップＳ１１２に移行する。ここで、デジタルカメラ２２による撮影が行われた後に、上記したフラグ管理用レジスタが０にクリアされることになる。
【００４８】
ステップＳ１１２では、データ伝送部２４によって、デジタルカメラ２２で撮影した撮影対象釘２１の撮影画像データをネットワーク４を介してホールコンピュータ３に伝送して処理を終了する。
更に、図６に基づき、遊技機管理システムの第１の構成例１Ａにおけるホールコンピュータ３の動作処理の流れを説明する。図６は、遊技機管理システムの第１の構成例１Ａにおけるホールコンピュータ３の動作処理を示すフローチャートである。
【００４９】
図６に示すように、まずステップＳ２００に移行し、パチンコ遊技機２からの撮影画像を受信したか否かを判定し、受信したと判定された場合（Ｙｅｓ）はステップＳ２０２に移行し、そうでない場合（Ｎｏ）は受信するまで待機する。
ステップＳ２０２に移行した場合は、画像解析部３ａにおいて、受信した撮影画像の信号と釘幅画像データベース３ｂから読み出した基本画像の信号とのマッチングを行い、それぞれの一致度を求めてステップＳ２０４に移行する。
【００５０】
ステップＳ２０４では、釘幅情報検出部３ｃにおいて、最も一致度の高い基本画像を選択し、対応テーブルからその基本画像に対応した釘幅データを検出してステップＳ２０６に移行する。
ステップＳ２０６では、釘幅情報保存部３ｄにおいて、検出された釘幅データを記憶保存し処理を終了する。
【００５１】
以上、遊技機管理システムの第１の構成例１Ａにおいて、パチンコ遊技機２は、前面扉２００の開閉状態に応じて、デジタルカメラ２２で撮影対象釘２１を撮影し、更に、データ伝送部２４によって、その撮影した撮影画像データをホールコンピュータ３に自動的に伝送することが可能である。
また、遊技機管理システムの第１の構成例１Ａにおいて、ホールコンピュータ３は、画像解析部３ａ及び釘幅画像データベース３ｂによって、パチンコ遊技機２から伝送された撮影画像と基本画像との一致度を求めることが可能である。更に、釘幅情報検出部３ｃによって、この一致度に基づき第１の対象釘２１ａと第２の対象釘２１ｂとの間隔（釘幅）を対応テーブルから検出し、この釘幅データを釘幅情報保存部３ｄに記憶し保存することが可能である。
【００５２】
更に、図７に基づき、遊技機管理システム１の第２の構成例１Ｂの構成を説明する。図７は、遊技機管理システムの第２の構成例１Ｂの構成を示すブロック図である。
図７に示すように、遊技機管理システムの第２の構成例１Ｂは、パチンコ遊技機２と、ホールコンピュータ３と、ネットワーク４と、を含んだ構成となっている。
【００５３】
パチンコ遊技機２は、内部構成として、デジタルカメラ２２と、データ伝送部２４と、開閉信号発生部２５と、を含んだ構成となっている。
デジタルカメラ２２は、上記したように、遊技盤面２０の撮影対象部２０ｅの位置に配設されたもので、撮影対象釘２１を遊技盤面側から釘の頭頂部側に向けて撮影するようになっている。
【００５４】
データ伝送部２４は、デジタルカメラ２２で撮影した撮影対象釘２１の画像をネットワーク４を介してホールコンピュータに伝送する処理を行うものである。開閉信号発生部２５は、上記したパチンコ遊技機２の前面扉２００の開閉状態に応じた信号を発生するものである。本実施の形態においては、扉が開いていればデジタルのＨｉｇｈ信号を発生し、扉が閉じていればデジタルのＬｏｗ信号を発生する。
【００５５】
ホールコンピュータ３は、画像解析部３ａと、釘幅情報検出部３ｃと、釘幅情報保存部３ｄと、画像分割部３ｅと、カメラ制御部３ｆと、を含んだ構成となっている。
画像解析部３ａは、画像分割部３ｅによって分割された撮影画像を解析するものである。
【００５６】
釘幅情報検出部３ｃは、画像解析部３ａの解析結果に基づき、パチンコ遊技機２から伝送された撮影対象釘２１の釘幅を検出するものである。
釘幅情報保存部３ｄは、釘幅情報検出部３ｃにおいて検出された釘幅情報を記憶し保存するものである。
画像分割部３ｅは、パチンコ遊技機２から伝送されてきた撮影対象釘２１の撮影画像を、均一なサイズの複数の画像に分割し、且つ、撮影画像に対して２次元の座標軸を設定し、分割されて出来た個々の分割画像の４辺によって形成される格子の格子点に対して２次元の座標を設定するものである。
【００５７】
カメラ制御部３ｆは、前面扉２００の開閉に応じて、開閉信号発生部２５からの信号に基づき、デジタルカメラ２２の動作を制御するものである。
更に、図８に基づき、遊技機管理システムの第２の構成例１Ｂのより具体的な動作を説明する。図８は、分割処理された撮影画像の一例を示す図である。
まず、パチンコ遊技機２側では、人手により釘の点検を行うために、前面扉２００が開かれる。扉が開かれると開閉信号発生部２５では、デジタルのＨｉｇｈ信号が発生し、データ送受信部２４及びネットワーク４を介してホールコンピュータ３のカメラ制御部３ｆに伝送される。カメラ制御部３ｆでは、この信号を受けて前面扉２００が開かれた状態であることを認識する。
【００５８】
更に、釘の点検が終了すると、人手により前面扉２００が閉じられる。このとき、開閉信号発生部２５では、デジタルのＬｏｗ信号が発生し、この信号は、データ送受信部２４及びネットワーク４を介して、ホールコンピュータ３のカメラ制御部３ｆに伝送される。カメラ制御部３ｆは、Ｈｉｇｈ信号に続けてＬｏｗ信号を受信することで、パチンコ遊技機２のデジタルカメラ２２に対して、撮影対象釘２１を撮影するように制御命令を与える。デジタルカメラ２２は、この制御命令を受信すると、その撮影機能により撮影対象釘２１を撮影する。撮影が終了すると、この撮影画像をデータ伝送部２４によってネットワーク４を介しホールコンピュータ３に伝送する。
【００５９】
更に、ホールコンピュータ３では、パチンコ遊技機２から伝送された撮影画像を取得すると、まず画像分割部３ｅへと伝送する。画像分割部３ｅでは、図８に示すように、撮影画像を均等なサイズ（各辺１ｍｍの正方形）の複数の分割画像８０ａに分割する。
更に、図８に示すように、分割処理の施された撮影画像に対し、２次元の座標軸（ｘ，ｙ）となる第１の中心線（ｘ軸）および第２の中心線（ｙ軸）の２本の中心線を設定する。そして、各分割画像８０ａの４辺のつながりによって構成される格子の格子点を、前記２本の中心線の交点を座標（０，０）とした２次元座標として設定することで撮影画像８０を生成する。
【００６０】
この生成処理が終了すると、次に、画像解析部３ａにおいて撮影画像８０の解析処理が行われる。まず、撮影画像８０における第１の対象画像２１ａに対応する釘画像部の頭頂部中心点Ａの座標と、同様に第２の対象画像２１ｂに対応する釘画像部の頭頂部中心点Ｂの座標と、を撮影画像８０から割り出す。ここでは、図８に示すように、第１の対象画像２１ａに対応する釘画像部の頭頂部中心座標Ａ（−５，０）と第２の対象画像２１ｂに対応する釘画像部の頭頂部中心座標Ｂ（５，２）とが割り出される。
【００６１】
これら割り出された座標に基づき、釘幅情報検出部３ｃでは、「（Ａのｘ座標）−（Ｂのｘ座標）」を算出することにより、水平方向の釘幅（図中のア：｜−５−５｜＝１０［ｍｍ］）を生成する。
更に、「｛｜（Ａのｘ座標−Ｂのｘ座標）｜２＋｜（Ａのｙ座標−Ｂのｙ座標）｜２｝の平方根」を算出することにより、釘の頭頂部中心座標Ａ、Ｂを直線で結んだ釘幅（図中のイ：√１０４＝１０．２）を生成する。そして、最終的に、これら釘幅データと各座標情報とが釘幅情報保存部３ｄに記憶保存される。
【００６２】
更に、図９に基づき、遊技機管理システムの第２の構成例１Ｂにおけるパチンコ遊技機２の動作処理の流れを説明する。図９は、遊技機管理システムの第２の構成例１Ｂにおけるパチンコ遊技機２の動作処理を示すフローチャートである。図９に示すように、まずステップＳ３００に移行し、開閉信号発生部２５において、前面扉２００が開かれたか否かを判定し、開かれたと判定された場合（Ｙｅｓ）はステップＳ３０２に移行し、そうでない場合（Ｎｏ）は開けられるまで待機する。
【００６３】
ステップＳ３０２に移行した場合は、開閉信号発生部２５において、Ｈｉｇｈ信号を発生し、これをデータ伝送部２４によってホールコンピュータ３にネットワーク４を介して伝送しステップＳ３０４に移行する。
ステップＳ３０４では、前面扉２００が閉じられたか否かを判定し、閉じられたと判定された場合（Ｙｅｓ）はステップＳ３０６に移行し、そうでない場合（Ｎｏ）は閉じたれるまで待機する。
【００６４】
ステップＳ３０６に移行した場合は、開閉信号発生部２５において、Ｌｏｗ信号を発生し、これをデータ伝送部２４によってホールコンピュータ３にネットワーク４を介して伝送しステップＳ３０８に移行する。
ステップＳ３０８では、デジタルカメラ２２において、ホールコンピュータ３からの制御命令を受信したか否かを判定し、受信したと判定された場合（Ｙｅｓ）はステップＳ３１０に移行し、そうでない場合（Ｎｏ）は受信するまで待機する。
【００６５】
ステップＳ３１０に移行した場合は、デジタルカメラ２２は、制御命令を受信すると、撮影対象釘２１の撮影を行いステップＳ３１２に移行する。
ステップＳ３１２では、データ伝送部２４によって、デジタルカメラ２２で撮影した撮影対象釘２１の撮影画像データをネットワーク４を介してホールコンピュータ３に伝送して処理を終了する。
【００６６】
更に、図１０に基づき、遊技機管理システムの第２の構成例１Ｂにおけるホールコンピュータ３の動作処理の流れを説明する。図１０は、遊技機管理システムの第２の構成例１Ｂにおけるホールコンピュータ３の動作処理を示すフローチャートである。
図１０に示すように、まずステップＳ４００に移行し、カメラ制御部３ｆにおいて、パチンコ遊技機２の開閉信号発生部２５からのＨｉｇｈ信号を受信したか否かを判定し、受信したと判定された場合（Ｙｅｓ）はステップＳ４０２に移行し、そうでない場合（Ｎｏ）は受信するまで待機する。
【００６７】
ステップＳ４０２に移行した場合は、カメラ制御部３ｆは、パチンコ遊技機２の前面扉２００が開かれた状態であることを確認しステップＳ４０４に移行する。
ここで、本実施の形態では、検査等のために前面扉２００が開かれ、Ｈｉｇｈ信号を受信すると、ホールコンピュータ３側にあるフラグ管理用レジスタに１を書き込む。その後、検査が終わり、前面扉２００が閉じられ、且つ、釘の撮影処理が終了すると、フラグ管理用レジスタを０にクリアする。このフラグ管理用レジスタの値で、前面扉２００の開閉状態を管理する。つまり、上記第１の構成例１Ａとは異なり、前面扉２００の開閉状態はホールコンピュータ３側が管理する。
【００６８】
ステップＳ４０４では、カメラ制御部３ｆは、開閉信号発生部からのＬｏｗ信号を受信したか否かを判定し、受信したと判定された場合（Ｙｅｓ）はステップＳ４０６に移行し、そうでない場合（Ｎｏ）は受信するまで待機する。
ステップＳ４０６に移行した場合は、カメラ制御部３ｆは、パチンコ遊技機２の前面扉２００が閉じられた状態であることを確認しステップＳ４０８に移行する。
【００６９】
ステップＳ４０８では、カメラ制御部３ｆは、前面扉２００が開かれた状態から閉じらた状態になったことを確認したので、パチンコ遊技機２のデジタルカメラ２２に対する撮影対象釘２１を撮影する制御命令を伝送しステップＳ４１０に移行する。
ステップＳ４１０では、パチンコ遊技機２からの撮影画像を受信したか否かを判定し、受信したと判定された場合（Ｙｅｓ）はステップＳ４１２に移行し、そうでない場合（Ｎｏ）は受信するまで待機する。
【００７０】
ステップＳ４１２に移行した場合は、画像分割部３ｅにおいて、受信した撮影画像の分割処理を行い、上記した撮影画像８０を生成しステップＳ４１４に移行する。ここで、撮影画像を受信したことに応じて、上記したフラグ管理用レジスタが０にクリアされることになる。
ステップＳ４１４では、画像解析部３ａにおいて、撮影画像８０における撮影対象釘２１の画像部分からその頭頂部中心点の座標を割り出しステップＳ４１６に移行する。
【００７１】
ステップＳ４１６では、釘情報検出部３ｃにおいて、割り出された座標情報に基づき撮影対象釘２１の釘間隔を算出してステップＳ４１８に移行する。
ステップＳ４１８では、釘情報保存部３ｄにおいて、算出された釘間隔及び割り出された座標情報を記憶保存して処理を終了する。
以上、遊技機管理システムの第２の構成例１Ｂにおいて、パチンコ遊技機２は、前面扉２００の開閉状態に応じた信号をホールコンピュータ３に伝送し、ホールコンピュータ３のカメラ制御部３ｆからの制御命令に応じてデジタルカメラ２２で撮影対象釘２１を撮影し、更に、データ伝送部２４によって、その撮影した撮影画像データをホールコンピュータ３に自動的に伝送することが可能である。
【００７２】
また、遊技機管理システムの第２の構成例１Ｂにおいて、ホールコンピュータ３は、画像分割部３ｅにおいて、パチンコ遊技機２から伝送された撮影画像を分割処理して各分割画像８０ａに座標を設定し、画像解析部３ａにおいて、釘頭頂部中心点の座標を割り出すことが可能である。更に、画像情報検出部３ｃにおいて、割り出された座標に基づき、第１の対象釘２１ａと第２の対象釘２１ｂとの間隔（釘幅）を算出し、この釘幅データ及び座標データを釘幅情報保存部３ｄに記憶し保存することが可能である。
【００７３】
ここで、図３及び図７に示す、ホールコンピュータ３は、請求項２〜４、８〜１１及び１４〜１６記載の管理用端末に対応し、デジタルカメラ２２は、請求項１、２、５〜７及び１１〜１３記載の撮影手段に対応し、画像解析部３ａ及び釘幅情報検出部３ｃは、請求項１〜４及び８〜１０記載の配設状態検出手段に対応し、釘幅情報保存部３ｄは、請求項１、２及び請求項８記載の配設状態データ記憶手段に対応し、データ伝送部２４による撮影画像の伝送処理は、請求項２、３、５、８、９、１１、１４及び１５記載の画像情報伝送手段に対応し、図７に示す、画像分割部３ｅは、請求項３及び請求項９記載の画像分割手段に対応する。
【００７４】
なお、上記実施の形態においては、撮影対象釘２１のみを撮影するようにしているが、これに限らず、別の場所にある釘に対してもデジタルカメラを配設して撮影し、その釘の配設状態情報を取得するようにしても良い。
また、上記実施の形態においては、デジタルカメラにより釘を撮影するようにしているが、これに限らず、別の撮影装置を用いて釘を撮影するようにしても良い。
【００７５】
また、上記実施の形態においては、釘幅データの取得方法として、基本画像との一致度を比較して釘幅データを取得する例と、座標情報から釘幅を算出して取得する例との２つを説明したが、これに限らず、別の方法を用いて取得するようにしても良い。
また、上記実施の形態においては、前面扉２００の開閉動作に基づき、撮影対象釘２１を撮影するようにしているが、これに限らず、所定の時間おきに撮影するようにしたり、指示を出したときのみ撮影するようにしたりするなど、別のタイミングで撮影するようにしても良い。
【００７６】
また、上記実施の形態においては、ホールコンピュータ３が、画像の解析処理や釘幅データの検出などの処理を行っているが、これに限らず、他にこれらの機能を有する端末を設けたり、遊技機自身がこれらの処理を行うなど、他の構成を用いても良い。
【００７７】
【発明の効果】
以上説明したように、本発明に係る遊技機管理システムによれば、釘の点検後などに、撮影画像から遊技盤面に対する釘の角度などの遊技盤に配設された釘の配設状態を検出し、この配設状態から２本の釘の幅などのデータを、取得又は生成し、人手をかけずに、これらのデータを記憶管理することが可能となる。
【００７８】
また、本発明に係る、管理用端末、パチンコ遊技機、これらを制御するプログラムは、上記した遊技機管理システムの構成要素であり、その効果は重複するので記載を省略する。
【図面の簡単な説明】
【図１】本発明に係る遊技機管理システムの概略構成を示す図である。
【図２】遊技機管理システムにおけるパチンコ遊技機の遊技盤を示す図である。
【図３】遊技機管理システムの第１の構成例を示すブロック図である。
【図４】（ａ）は、撮影対象釘２１の撮影画像と基本画像との比較の一例を示す図であり、（ｂ）は、基本画像と釘幅データとの対応を示す図である。
【図５】遊技機管理システムの第１の構成例１Ａにおけるパチンコ遊技機２の動作処理を示すフローチャートである。
【図６】遊技機管理システムの第１の構成例１Ａにおけるホールコンピュータ３の動作処理を示すフローチャートである。
【図７】遊技機管理システムの第２の構成例１Ｂの構成を示すブロック図である。
【図８】分割処理された撮影画像の一例を示す図である。
【図９】遊技機管理システムの第２の構成例１Ｂにおけるパチンコ遊技機２の動作処理を示すフローチャートである。
【図１０】遊技機管理システムの第２の構成例１Ｂにおけるホールコンピュータ３の動作処理を示すフローチャートである。
【符号の説明】
１                遊技機管理システム
１Ａ              遊技機管理システムの第１の構成例
１Ｂ              遊技機管理システムの第２の構成例
２                パチンコ遊技機
３                ホールコンピュータ
３ａ              画像解析部
３ｂ              釘画像データベース
３ｃ              釘幅情報検出部
３ｄ              釘幅情報保存部
３ｅ              画像分割部
３ｆ              カメラ制御部
４                ネットワーク
２０ｅ            撮影対象部
２１              撮影対象釘
２１ａ            第１の対象釘
２１ｂ            第２の対象釘
２２              デジタルカメラ
２３              カメラ制御部
２４              データ伝送部
２５              開閉信号発生部
【図１】
2004167168.tif 000003
【図２】
2004167168.tif 000004
【図３】
2004167168.tif 000005
【図４】
2004167168.tif 000006
【図５】
2004167168.tif 000007
【図６】
2004167168.tif 000008
【図７】
2004167168.tif 000009
【図８】
2004167168.tif 000010
【図９】
2004167168.tif 000011
【図１０】
2004167168.tif 000012